(57)【特許請求の範囲】
【請求項１】
シンクの前面とその両側に位置される流し台のキャビネットを構成する側板の端部とを前方から覆う幕板となる前板と、
板前端部側でこの前板に接合されると共に、板上面をまな板の載置面とした棚板とを備えてなる引き出し体を有しており、
引き出し体の前板はその内面側に、この内面に包丁の刃巾面を向き合わせるようにして包丁の刃を支持する包丁ホルダーを備えており、
引き出し体の棚板は、この引き出し体の押し込み状態において、シンクの底部の下方に位置づけられるようになっていると共に、
この棚板の板後端部には、載置されたまな板の後端に対する当接部が形成されており、
しかも、引き出し体の棚板の板前端部には、左右方向に亘って前側立ち上がり部が形成され、
板後端部には、当接部となる左右方向に亘る後側立ち上がり部が形成され、
板右端部と板左端部とにはそれぞれ、前側立ち上がり部と後側立ち上がり部との間に亘る側壁部が備えられており、
この前側立ち上がり部、後側立ち上がり部及び側壁部によって、棚板の載置面から水が垂れ出さないようになっていることを特徴とする流し台。
【請求項２】
引き出し体の棚板の載置面に水切り用のリブが形成されていることを特徴とする請求項１に記載の流し台。
【請求項３】
引き出し体に、その棚板の載置面を左右に分ける仕切り体が備えられていることを特徴とする請求項１又は請求項２に記載の流し台。
【請求項４】
引き出し体の前板の上下方向の寸法を、この引き出し体を備えたキャビネットに連続して備えられる他のキャビネットの幕板の上下方向の寸法と略等しくさせるようにしていることを特徴とする請求項１〜請求項３のいずれか１項に記載の流し台。
【発明の詳細な説明】
【技術分野】
【０００１】
この発明は、流し台のキャビネットを構成する幕板の内面側に包丁とまな板を収納できるように構成された流し台の改良に関する。
【背景技術】
【０００２】
流し台のシンクの前面は、側板間に亘るようにして固定された幕板によって覆われている。この幕板の外側に上扉を設けこの上扉と幕板との間に包丁の収納ボックスを設けたものがある。（特許文献１参照）
【０００３】
しかるに、流し台のシンクの前面と幕板との間には、シンクの開口と天板の前端との間に間隔が形成されることから、必ず一定の隙間が形成される。また、シンクの底面の下方にはまな板などの高さのあまりない物品を収納し得る余地がある。幕板自体を利用して前記のような収納ボックスを備えた引き出しを流し台の上部に備えさせることができれば、既存の流し台の設計を大幅に変更することなく、こうした収納機能を流し台に付加させることができる。
【特許文献１】実用新案登録第３０７０７４７号公報
【発明の開示】
【発明が解決しようとする課題】
【０００４】
この発明が解決しようとする主たる問題点は、流し台の基本構造に大幅な変更を生じさせることなく、そのキャビネットを構成する幕板の内方側に適切に包丁とまな板を収納できるようにする点にある。
【課題を解決するための手段】
【０００５】
前記課題を達成するために、この発明にあっては、流し台を、以下の（１）〜（５）の構成を備えたものとした。
（１）シンクの前面とその両側に位置される流し台のキャビネットを構成する側板の端部とを前方から覆う幕板となる前板と、
（２）板前端部側でこの前板に接合されると共に、板上面をまな板の載置面とした棚板とを備えてなる引き出し体を有しており、
（３）引き出し体の前板はその内面側に、この内面に包丁の刃巾面を向き合わせるようにして包丁の刃を支持する包丁ホルダーを備えており、
（４）引き出し体の棚板は、この引き出し体の押し込み状態において、シンクの底部の下方に位置づけられるようになっていると共に、
（５）この棚板の板後端部には、載置されたまな板の後端に対する当接部が形成されている。
【０００６】
流し台の幕板を前板とした引き出し体によって、この幕板の内方側に、適切に包丁とまな板を収納することができる。すなわち、包丁は幕板の内面側に格別の空間を形成させることなく収納させることができ、まな板はシンクの底部の下方に格別の空間を形成させることなく収納させることができる。また、棚板に載置されたまな板は当接部によって引き出し体の可動時にも棚板上に安定的に位置づけられる。
【０００７】
前記棚板の板前端部に、左右方向に亘って前側立ち上がり部を形成させ、
板後端部に、当接部となる左右方向に亘る後側立ち上がり部を形成させ、
板右端部と板左端部とにはそれぞれ、前側立ち上がり部と後側立ち上がり部との間に亘る側壁部を備えさせ、
この前側立ち上がり部、後側立ち上がり部及び側壁部によって、棚板の載置面から水が垂れ出さないようにしておくこともある。
【０００８】
このようにした場合、引き出し体の棚板にまな板などを載置してこれを押し込み収納したときにこれに起因してシンク下方を濡らしてしまうことがない。
【０００９】
前記棚板の載置面に水切り用のリブを形成させておけば、棚板に載置させたまな板を乾かせ易いと共に、まな板が乾いていない場合でも引き出し体の可動に伴ってまな板が滑り動いてしまう事態を防止できる。
【００１０】
かかる引き出し体の前板の上下方向の寸法を、この引き出し体を備えたキャビネットに連続して備えられるキッチンに設置される他のキャビネットの幕板の上下方向の寸法と略等しくさせておけば、流し台の幕板を利用してこの幕板の内方側に適切に包丁とまな板を収納できるようにしながら、この流し台のキャビネットと組み合わされてシステムキッチンを構成する他のキャビネットとの一体感を損なわないようにすることができる。
【発明の効果】
【００１１】
この発明にかかる流し台によれば、その幕板を前板とした引き出し体によって、この幕板の内方側に、適切に包丁とまな板を収納することができる。特に、既存の流し台の外観構成を変えることなく、その幕板を利用して既存の流し台に包丁とまな板の収納機能を持たせることができる特長を有する。
【発明を実施するための最良の形態】
【００１２】
以下、図１〜図８に基づいて、この発明を実施するための最良の形態について説明する。
【００１３】
なお、ここで図１および図２は、実施の形態にかかる流し台１の上部を断面にして示しており、図２においては引き出し体２０を引き出しきった状態を示している。また、図３はかかる引き出し体２０とその支持機構とを理解しやすいように前板２１となる幕板１１と化粧板１０ｆの記載を省略してこれらを示しており、図４は図３に示される各部材を分離させた状態として示している。また、図５は前板２１と棚板２２とを接合する部材の構造を理解しやすいように示しており、また、図６は棚板２２を、図７は引き出し体２０に備えられる仕切り体２３の要部を、さらに、図８は前板２１の内面に取り付けられる包丁ホルダー２５を、それぞれ示している。
【００１４】
この実施の形態にかかる流し台１は、流し台１の基本構造に大幅な変更を生じさせることなく、そのキャビネット１０を構成する幕板１１の内方側に適切に包丁Ｎとまな板Ｐを収納できるようにしたものである。
【００１５】
流し台１を構成するキャビネット１０は、左右に側板１０ａ、１０ａを有し、上部に天板１０ｂを備える。図中符号１０ｃシンクであり、符号１０ｅ見付である。シンク１０ｃの前面は化粧板１０ｆによって覆われる。
【００１６】
図示の例では、シンク１０ｃの前方において左右側板１０ａ、１０ａの上部側に亘って前桟１０ｇが備えられている。この前桟１０ｇの直下位置には、上方に溝口を向けた断面コ字状の長尺材１０ｈが左右側板１０ａ、１０ａ間に亘るように配されている。図示の例では、この長尺材１０ｈは、３段引きのスライドレール１３のアウターレール１３ａに取り付けられた状態で側板１０ａの内面に取り付けられてこの側板１０ａにスライドレール１３を固定させるレール固定パーツ１４の前側上部に形成された折出し片１４ａにその端部を固定されて前記のように左右側板１０ａ、１０ａ間に亘るように配されている。前記化粧板１０ｆは、前桟１０ｇの背面に上部を固定させると共に、その下部を長尺材１０ｈの溝に入れ込んで支持されている。長尺材１０ｈの下端のレベルはシンク１０ｃの底部１０ｄよりもやや低い位置にあり、後述する引き出し体２０の棚板２２に載置できるまな板Ｐやその他の物品の大きさを規制するようになっている。すなわち、かかる長尺材１０ｈは、引き出し体２０の棚板２２に載置されたまな板Ｐなどの物品の上端レベルが高すぎる場合に、こうした物品を載置した状態での引き出し体２０の押し込みによりこうした物品の上端がシンク１０ｃの底部１０ｄに当たってシンク１０ｃを傷つけることがないように機能する。
【００１７】
幕板１１は、この化粧板１０ｆの前方にあって、この化粧板１０ｆとの間にやや隙間１２を開けて、この化粧板１０ｆとこの化粧板１０ｆの両側に位置される側板１０ａの端部を前方から覆うように備えられるものである。この実施の形態にかかる流し台１は、かかる幕板１１を前板２１とした引き出し体２０を有するものである。
【００１８】
シンク１０ｃの下方は収納空間１０ｉとされる。流し台１の前面側であって幕板１１の下方にはこの収納空間１０ｉの開口を塞ぐ扉板１５が位置される。この収納空間１０ｉに別途の引き出しを納める場合にはこの引き出しの前板が幕板１１の下方に位置される。幕板１１の外面とかかる扉板１５の外面とは略同面上に位置される。
【００１９】
引き出し体２０は、板前端部側で前記前板２１に接合されると共に、板上面をまな板Ｐの載置面２２ａとした棚板２２を備えてなる。まな板Ｐはその一面を棚板２２の載置面２２ａに接しさせるようにして棚板２２上に載置される。棚板２２の板後端部には、載置されたまな板Ｐの後端に対する当接部２２ｂが形成されている。この引き出し体２０の棚板２２の前後寸法は、基本的には、引き出し体２０を押し込みきった状態でこの棚板の板後端部がシンク１０ｃの図示しない排水パイプに突き当たらない大きさに設定される。
【００２０】
この実施の形態にあっては、かかる棚板２２の板前端部には、左右方向に亘って前側立ち上がり部２２ｃが形成され、
板後端部には、当接部２２ｂとなる左右方向に亘る後側立ち上がり部２２ｅが形成され、
板右端部と板左端部とにはそれぞれ、前側立ち上がり部２２ｃと後側立ち上がり部２２ｅとの間に亘る側壁部２２ｇが備えられており、
この前側立ち上がり部２２ｃ、後側立ち上がり部２２ｅ及び側壁部２２ｇによって、棚板２２の載置面２２ａから水が垂れ出さないようになっている。
【００２１】
これにより、この実施の形態にあっては、引き出し体２０の棚板２２にまな板Ｐなどを載置してこれを押し込み収納したときにこれに起因してシンク１０ｃ下方を濡らしてしまうことがないようになっている。
【００２２】
具体的には、図示の例では、前記前側立ち上がり部２２ｃと後側立ち上がり部２２ｅを一体に備えた板材２２ｈの左右両端部にそれぞれ、この板材２２ｈをはめ込むこの板材２２ｈの断面形状に倣ったはめ込み部２２ｊを備えたサイドパネル２２ｉをそれぞれこのはめ込み部２２ｊを利用して取り付けて棚板２２を構成させている。図示の例では棚板２２を構成する板材２２ｈはアルミニウム合金よりなる押し出し型材を所定の寸法に切断して構成させている。
【００２３】
また、この実施の形態にあっては、かかる棚板２２の載置面２２ａに水切り用のリブ２２ｋが形成されている。このリブ２２ｋは棚板２２の左右方向に亘って形成されており、また、棚板２２の前後方向において隣り合うリブ２２ｋとの間に間隔を開けて複数条設けられている。これにより、この実施の形態にあっては、棚板２２の載置させたまな板Ｐを乾かせ易いと共に、まな板Ｐが乾いていない場合でも引き出し体２０の可動に伴ってまな板Ｐが滑り動いてしまうことがない。
【００２４】
また、この実施の形態にあっては、かかる引き出し体２０に、その棚板２２の載置面２２ａを左右に分ける仕切り体２３が備えられている。図示の例では、棚板２２の前側立ち上がり部２２ｃに後方に溝口を向けたガイド溝２２ｄが左右方向に亘って形成されていると共に、棚板２２の後側立ち上がり部２２ｅに前方に溝口を向けたガイド溝２２ｆが左右方向に亘って形成されている。仕切り体２３は、前端に前側立ち上がり部２２ｃのガイド溝２２ｄに摺動可能に入れ込まれるランナー２３ａを備えると共に、後端に後側立ち上がり部２２ｅのガイド溝２２ｆに摺動可能に入れ込まれるランナー２３ａを備えた棒状体２３ｂとして構成されている。これにより、この実施の形態にあっては、かかる仕切り体２３によって、引き出し体２０の棚板２２をまな板Ｐの載置箇所とその他の物品（キッチンで利用する小物類など）を載置する箇所とに分けて利用することができる。図示の例では、仕切り体２３はガイド溝２２ｄ、２２ｆにガタなくランナー２３ａをはめ込むことで所望の位置にズレなく位置づけられると共に、ガイド溝２２ｄ、２２ｆに沿ってランナー２３ａを動かすことで所望の位置に移動させて改めてその位置に位置づけさせることができるようになっている。
【００２５】
かかる棚板２２と前板２１とは、棚板２２の左右においてそれぞれ、ジョイントパーツ２４を介して接合されている。
【００２６】
ジョイントパーツ２４は、サイドパネル２２ｉに固定される棚板側パーツ２４１と、前板２１に固定される前板側パーツ２４２とからなる。
【００２７】
棚板側パーツ２４１は、サイドパネル２２ｉの外面に添装ネジ止めされる添装板部２４１ａと、この添装板部２４１ａの前端側から上方に突き出すブラケット部２４１ｂとを有している。ブラケット部２４１ｂの上部には前後方向に長いアジャスト空所２４１ｃが備えられていると共に、このアジャスト空所２４１ｃの上方にはこのアジャスト空所２４１ｃへの軸状止め具Ｊの導入用の割欠き２４１ｄが形成されている。また、ブラケット部２４１ｂの基部側であってアジャスト空所２４１ｃの直下位置には下方に向けて続く軸状止め具Ｊの通し溝２４１ｅが形成されている。
【００２８】
前板側パーツ２４２は、前板２１となる幕板１１の内面１１ａに添装ネジ止めされる添装板部２４２ａと、この添装板部２４２ａから略直角に後方に突き出す接合板部２４２ｂとを備えている。接合板部２４２ｂの上端と下端とにはそれぞれ、軸状止め具Ｊの支持部２４２ｃが形成されている。この支持部２４２ｃは接合板部２４２ｂにおける軸状止め具Ｊの通し孔の形成箇所の内側に軸状止め具Ｊのネジ孔を備えた板片２４２ｅを配させることで構成されている。
【００２９】
そして、この実施の形態にあっては、棚板側パーツ２４１のブラケット部２４１ｂの通し溝２４１ｅに前板側パーツ２４２の接合板部２４２ｂの下端側にある軸状止め具Ｊを上方から入れ込むと共に、棚板側パーツ２４１のブラケット部２４１ｂのアジャスト空所２４１ｃに前板側パーツ２４２の接合板部２４２ｂの上端側にある軸状止め具Ｊを上方から入れ込み、それぞれの軸状止め具Ｊを締め込むことで棚板２２の板前端部側に前板２１を接合させている。
【００３０】
これにより、この実施の形態にあっては、アジャスト空所２４１ｃの範囲内で前板２１の棚板２２に対する取り付け角度を調整することができると共に、棚板２２に対する取り付けレベルも調整することができるようになっている。
【００３１】
かかる引き出し体２０の前板２１の上下方向の寸法は、この引き出し体２０を備えたキャビネット１０に連続して備えられるキッチンに設置される図示しない他のキャビネット１０（流し台１と一緒になってシステムキッチンを構成する他のキャビネット１０）の幕板１１の上下方向の寸法と略等しくなっている。これにより、流し台１の幕板１１を利用してこの幕板１１の内面側に適切に包丁Ｎとまな板Ｐを収納できるようにしながら、この流し台１のキャビネット１０と組み合わされてシステムキッチンを構成する他のキャビネット１０との一体感を損なうことがないようにすることができる。また、前記取り付け角度と取り付けレベルの調整により、引き出し体２０の前板２１と他のキャビネット１０の前板２１との面合わせ、高さ合わせが可能とされる。
【００３２】
また、引き出し体２０の前板２１となる幕板１１はその内面１１ａ側に、この内面１１ａに包丁Ｎの刃巾面Ｎｂを向き合わせるようにして包丁Ｎの刃Ｎａを支持する包丁ホルダー２５を備えている。図示の例では、この幕板１１の内面１１ａ側に、この内面１１ａに包丁Ｎの刃巾面Ｎｂを向き合わせ、かつ、包丁Ｎの切っ先を斜め下に柄尻を斜め上にするようにして包丁Ｎの刃Ｎａを支持する包丁ホルダー２５を備えさえている。
【００３３】
図示の例では、かかる包丁ホルダー２５は、幕板１１の左右方向（長さ方向）に長く構成されると共に、内部を包丁Ｎの刃Ｎａの挿入空間２５ａとするように構成されている。包丁ホルダー２５の上部にはその長さ方向に亘ってこの挿入空間２５ａに連通するスリット２５ｂが形成されており、包丁Ｎの刃Ｎａをこのスリット２５ｂを利用して挿入空間２５ａ内に入れ込めるようになっている。包丁ホルダー２５の上部にはまた包丁Ｎの柄Ｎｃの刃Ｎａ側の端面Ｎｄに引っかかる隆起部２５ｄとこの隆起部２５ｄに隣り合ってこの隆起部２５ｄに端面Ｎｄを引っ掛ける位置までスリット２５ｂを通じて挿入空間２５ａに刃Ｎａを入れ込ませた包丁Ｎの柄Ｎｃを載置する台状部２５ｆとを一組とする支持箇所２５ｃが形成されている。隆起部２５ｄは包丁Ｎの引っ掛け面２５ｅを斜め上方に向けており、台状部２５ｆの台面２５ｇはこの引っ掛け面２５ｅに略直交する向きの面となっている。図示の例では、幕板１１の内面側に、引き出し体２０を押し込みきった状態において、この幕板１１と前記化粧板１０ｆとの間に形成された前記隙間１２に納まるように包丁ホルダー２５を備え付けさせている。
【００３４】
そして、この実施の形態にあっては、引き出し体２０を、左右の側板１０ａに対してそれぞれ、３段引きのスライドレール１３を介して、この引き出し体２０の押し込み状態において、この引き出し体２０の棚板２２がシンク１０ｃの底部１０ｄの下方に位置づけられるように取り付けさせている。
【００３５】
具体的には、図示の例では、スライドレール１３のインナーレール１３ｂをジョイントパーツ２４の棚板側パーツ２４１の外面に添装固定させている。
【００３６】
この実施の形態にかかる流し台１にあっては、流し台１の幕板１１を前板２１とした引き出し体２０によって、この幕板１１の内方側に、適切に包丁Ｎとまな板Ｐを収納することができる。すなわち、包丁Ｎは幕板１１の内面側に格別の空間を形成させることなく収納させることができ、まな板Ｐはシンク１０ｃの底部１０ｄの下方に格別の空間を形成させることなく収納させることができる。また、棚板２２に載置されたまな板Ｐは当接部２２ｂによって引き出し体２０の可動時にも棚板２２上に安定的に位置づけられる。幕板１１の外面には引き出し体２０の引き出しに利用する図示しない引き手などが必要に応じて備えられる。
【図面の簡単な説明】
【００３７】
【図１】流し台１の要部断面構成図
【図２】流し台１の要部断面構成図
【図３】流し台１の要部斜視構成図
【図４】流し台１の要部分離斜視構成図
【図５】ジョイントパーツ２４の構成を示した分離側面図
【図６】棚板２２の斜視構成図
【図７】仕切り体２３の要部分離斜視図
【図８】包丁ホルダー２５の斜視構成図
【符号の説明】
【００３８】
１  流し台
１０  キャビネット
１０ａ  側板
１０ｃ  シンク
１０ｄ  底部
１１  幕板
２０  引き出し体
２１  前板
２２  棚板
２２ａ  載置面
２２ｂ  当接部
２５  包丁ホルダー
Ｎ  包丁
Ｎｂ  刃巾面
Ｐ  まな板
【図１】
0004972505.tif 000002
【図２】
0004972505.tif 000003
【図３】
0004972505.tif 000004
【図４】
0004972505.tif 000005
【図５】
0004972505.tif 000006
【図６】
0004972505.tif 000007
【図７】
0004972505.tif 000008
【図８】
0004972505.tif 000009